(57)【要約】【課題】医用画像単位で異なる処理を可能とする。【解決手段】外部から送信される医用情報を受信する複数のＩ／Ｏポートアドレスを有する通信手段と、複数のＩ／Ｏポートアドレスのそれぞれに対応して処理条件が定義された処理テーブルを記憶する記憶手段と、記憶手段に記憶された処理テーブルを参照し、通信手段で受信した医用情報のＩ／Ｏポートアドレスに対応する処理条件に従って医用情報を処理する制御手段と、を備える医用情報管理装置とする。【選択図】図６
2009039256.tif 000002
【特許請求の範囲】
【請求項１】
受信先Ｉ／Ｏポートアドレスが割り当てられた医用情報を管理する医用情報管理装置であって、
外部から送信される医用情報を受信する複数のＩ／Ｏポートアドレスを有する通信手段と、
前記複数のＩ／Ｏポートアドレスのそれぞれに対応して処理条件が定義された処理テーブルを記憶する記憶手段と、
前記記憶手段に記憶された処理テーブルを参照し、前記通信手段で受信した医用情報のＩ／Ｏポートアドレスに対応する処理条件に従って医用情報を処理する制御手段と、
を備えた医用情報管理装置。
【請求項２】
前記Ｉ／Ｏポートアドレスは、ＤＩＣＯＭ通信規格で定義されたＡＥタイトルである請求項１に記載の医用情報管理装置。
【請求項３】
前記処理テーブルは、前記複数のＩ／Ｏポートアドレスのうち、一のＩ／Ｏポートアドレスに対応する医用情報については他の医用情報よりも優先的に処理を行うことを定めており、
前記制御手段は、前記処理テーブルに従って、前記一のＩ／Ｏポートアドレスに対応する医用情報の処理を優先的に行う請求項１又は２に記載の医用情報管理装置。
【請求項４】
前記処理テーブルは、前記複数のＩ／Ｏポートアドレスのうち、一のＩ／Ｏポートアドレスに対応する医用情報については可搬記憶媒体へ記憶する処理を行うことを定めており、
前記制御手段は、前記処理テーブルに従って、前記一のＩ／Ｏポートアドレスに対応する医用情報の保存先を前記可搬記憶媒体とする請求項１〜３の何れか一項に記載の医用情報管理装置。
【請求項５】
前記処理テーブルは、前記複数のＩ／Ｏポートアドレスのうち、一のＩ／Ｏポートアドレスに対応する医用情報については他の端末装置へ転送する処理を行うことを定めており、
前記制御手段は、前記処理テーブルに従って、前記一のＩ／Ｏポートアドレスに対応する医用情報を前記他の端末装置へ転送する処理を行う請求項１〜４の何れか一項に記載の医用情報管理装置。
【請求項６】
医用情報を生成し、生成した医用情報を受信先Ｉ／Ｏポートアドレスとともに送信する医用画像生成装置と、
受信先Ｉ／Ｏポートアドレスが割り当てられた医用情報を管理する医用情報管理装置であって、外部から送信される医用情報を受信する複数のＩ／Ｏポートアドレスを有する通信手段と、前記複数のＩ／Ｏポートアドレスのそれぞれに対応して処理条件が定義された処理テーブルを記憶する記憶手段と、前記記憶手段に記憶された処理テーブルを参照し、前記通信手段で受信した医用情報のＩ／Ｏポートアドレスに対応する処理条件に従って医用情報を処理する制御手段と、を備えた医用情報管理装置と、
を含む医用情報管理システム。
【発明の詳細な説明】
【技術分野】
【０００１】
本発明は、医用情報管理装置、医用情報管理システムに関する。
【背景技術】
【０００２】
近年、医療分野において医用画像をデジタル化して取り扱う運用が主流となりつつある。デジタル化された医用画像（以下、単に「医用画像」という）は、医用画像生成装置、例えばＣＴ（Computed Tomography）装置やＭＲＩ（Magnetic Resonance Imaging）装置等の各種モダリティにより生成される。
【０００３】
これらのモダリティにより生成された医用画像は、患者情報や検査情報と共に、ＤＩＣＯＭ（Digital Imaging and Communication in Medicine）と呼ばれる互換性のある通信規格により医用情報管理装置によって一元管理される。ＤＩＣＯＭとは、医療分野における情報交換のための標準規格である。
このような医用画像管理システムをＰＡＣＳ（Picture Archiving and Communication System for medical application）という。
【０００４】
ＤＩＣＯＭ規格により医用画像を送受信する際、機器相互間において通信を確立するため通信情報のやり取りが行われる。この通信情報のやり取りによって通信を確立させた後に医用画像の送受信が行われることとなる。なお、ここでいう通信情報には、例えばモダリティから医用情報管理装置へ送信する通信要求（A-ASSOCIATE-RQ）等がある。
【０００５】
ここで、医用情報管理装置はＰＡＣＳ上にある複数のモダリティから、それぞれ医用画像を受信することになる。受信した医用画像によっては、保存等の処理を優先的にすべきものやそうでないものとがあり、医用情報管理装置は受信した医用画像を個々的に処理するために識別する必要がある。
【０００６】
特許文献１によれば、モダリティから送信される医用画像には属性情報が付与されており、医用情報管理装置はその属性情報によって受信した医用画像の識別を行う技術が開示されている。医用画像に付帯された属性情報により、医用情報管理装置は優先的に処理をすべき医用画像とそうでないものとを識別することができる。
【特許文献１】特開２００６−２６０３０１号公報
【発明の開示】
【発明が解決しようとする課題】
【０００７】
しかし、特許文献１に記載の技術では、受信した医用画像を識別するに際して、医用情報管理装置は医用画像を受信した後に一旦読込まなければ識別することができない。属性情報は医用画像に付帯するものだからである。よって、医用情報管理装置は優先的に処理すべき医用画像もそうでない医用画像も、同様に一度読込む処理を行うこととなる。これでは、迅速で効率的な処理に資さない。
【０００８】
一方、ＰＡＣＳ上でモダリティを識別するＡＥタイトルにより、受信した医用画像を区別して処理の優先度を判断する方法がある。これによれば、医用情報管理装置は医用画像を受信して読込まずとも、モダリティから送信される通信要求（A-ASSOCIATE-RQ）を受信した段階で、医用画像の識別が可能である。しかし、同一のモダリティから複数枚の医用画像が送信された場合、当該複数枚の医用画像の送信元は同一のＡＥタイトルである。よって、これらの医用画像のうちから優先的に処理すべき医用画像がある場合、それだけを識別して処理することはできない。
【０００９】
本発明は、医用画像単位で異なる処理を可能とする医用情報管理装置及び医用情報管理システムを提供することである。
【課題を解決するための手段】
【００１０】
請求項１に記載の発明によれば、
受信先Ｉ／Ｏポートアドレスが割り当てられた医用情報を管理する医用情報管理装置であって、
外部から送信される医用情報を受信する複数のＩ／Ｏポートアドレスを有する通信手段と、
前記複数のＩ／Ｏポートアドレスのそれぞれに対応して処理条件が定義された処理テーブルを記憶する記憶手段と、
前記記憶手段に記憶された処理テーブルを参照し、前記通信手段で受信した医用情報のＩ／Ｏポートアドレスに対応する処理条件に従って医用情報を処理する制御手段と、
を備えた医用情報管理装置が提供される。
【００１１】
請求項２に記載の発明によれば、請求項１に記載の発明において、
前記Ｉ／Ｏポートアドレスは、ＤＩＣＯＭ通信規格で定義されたＡＥタイトルである医用情報管理装置が提供される。
【００１２】
請求項３に記載の発明によれば、請求項１又は２に記載の発明において、
前記処理テーブルは、前記複数のＩ／Ｏポートアドレスのうち、一のＩ／Ｏポートアドレスに対応する医用情報については他の医用情報よりも優先的に処理を行うことを定めており、
前記制御手段は、前記処理テーブルに従って、前記一のＩ／Ｏポートアドレスに対応する医用情報の処理を優先的に行う医用情報管理装置が提供される。
【００１３】
請求項４に記載の発明によれば、請求項１〜３の何れか一項に記載の発明において、
前記処理テーブルは、前記複数のＩ／Ｏポートアドレスのうち、一のＩ／Ｏポートアドレスに対応する医用情報については可搬記憶媒体へ記憶する処理を行うことを定めており、
前記制御手段は、前記処理テーブルに従って、前記一のＩ／Ｏポートアドレスに対応する医用情報の保存先を前記可搬記憶媒体とする医用情報管理装置が提供される。
【００１４】
請求項５に記載の発明によれば、請求項１〜４の何れか一項に記載の発明において、
前記処理テーブルは、前記複数のＩ／Ｏポートアドレスのうち、一のＩ／Ｏポートアドレスに対応する医用情報については他の端末装置へ転送する処理を行うことを定めており、
前記制御手段は、前記処理テーブルに従って、前記一のＩ／Ｏポートアドレスに対応する医用情報を前記他の端末装置へ転送する処理を行う医用情報管理装置が提供される。
【００１５】
請求項６に記載の発明によれば、
医用情報を生成し、生成した医用情報を受信先Ｉ／Ｏポートアドレスとともに送信する医用画像生成装置と、
受信先Ｉ／Ｏポートアドレスが割り当てられた医用情報を管理する医用情報管理装置であって、外部から送信される医用情報を受信する複数のＩ／Ｏポートアドレスを有する通信手段と、前記複数のＩ／Ｏポートアドレスのそれぞれに対応して処理条件が定義された処理テーブルを記憶する記憶手段と、前記記憶手段に記憶された処理テーブルを参照し、前記通信手段で受信した医用情報のＩ／Ｏポートアドレスに対応する処理条件に従って医用情報を処理する制御手段と、を備えた医用情報管理装置と、
を含む医用情報管理システムが提供される。
【発明の効果】
【００１６】
本発明によれば、医用情報管理装置側で複数のＩ／Ｏポートアドレス、つまりＡＥタイトルが設定登録可能である。これにより、医用画像生成装置側からみると医用情報管理装置が擬似的に複数存在することとなる。また、医用情報管理装置側でＡＥタイトルごとに処理内容の設定が可能である。医用画像生成装置側は、要求する処理に対応するＡＥタイトル宛に医用画像を送信すればよい。
これにより、医用情報管理装置は同一モダリティから複数枚の医用画像が送信された場合であってもそれぞれを識別し、医用画像生成装置側が要求する処理内容を実行することができる。
【発明を実施するための最良の形態】
【００１７】
以下、本発明に係る医用情報管理装置及びシステムについて最適な実施形態の構成及び動作について図面を用いて詳細に説明する。なお、以下の説明において、医用情報とは医用画像や読影レポートを示すものとするが、必ずしもこれに限られない。
【００１８】
図１に、ＰＡＣＳ１００の全体構成図を示す。
ＰＡＣＳ１００は、管理サーバ１０、モダリティ２０（２０ａ〜２０ｃ）がＬＡＮ（Local Area Network）やＷＡＮ（Wide Area Network）等のネットワークＮを介してデータの送受信が相互に可能となるように接続されて構成されている。
【００１９】
管理サーバ１０は、医用画像を管理する医用画像管理装置である。管理サーバ１０はモダリティ２０から医用画像及びその付帯情報が送信されると当該医用画像等の保存処理、メディアへの書込処理又は他システムへの転送処理等の各種処理を実行する。また、読影レポートについても同様に管理する。
【００２０】
モダリティ２０は、患者を撮影し医用画像及び付帯情報を生成する医用画像生成装置である。また、医用画像を表示する表示装置としても機能する。本実施の形態においては、ＰＡＣＳ１００は、モダリティ２０としてＣＴ装置２０ａ、ＣＲ装置２０ｂ、ＭＲＩ装置２０ｃを備える構成とするが、その他に内視鏡装置、超音波診断装置等、様々な種類の医用画像を生成するモダリティが適用可能である。
【００２１】
図２に、管理サーバ１０の内部構成を示す。
管理サーバ１０は、制御部１１、操作部１２、表示部１３、通信部１４、記憶装置１５、ＲＯＭ（Read Only Memory）１６、ＲＡＭ（Random Access Memory）１７、メディア書込部１８等を備えて構成され、各部はバス１９により接続されている。
【００２２】
制御部１１は、ＲＯＭ１６に記憶されているシステムプログラムや各種処理プログラムを読み出し、ＲＡＭ１７内に形成されたワークエリアに展開し、該プログラムに従って各部を制御する。
【００２３】
操作部１２は、カーソルキー、数字入力キー、及び各種機能キー等を備えたキーボードと、マウス等のポインティングデバイスを備えて構成され、キーボードに対するキー操作やマウス操作により入力された指示信号を制御部１１に出力する。
【００２４】
表示部１３は、ＬＣＤ（Liquid Crystal Display）やＣＲＴ（Cathode Ray Tube）等のモニタにより構成され、制御部１１から入力される表示信号の指示に従って、操作部１２からの入力指示やデータ等を表示する。
【００２５】
通信部１４は、ＬＡＮアダプタ、ルータ、ＴＡ（Terminal Adapter）等を備え、ネットワークＮに接続された各装置とデータの送受信を行う。
【００２６】
記憶装置１５は、ハードディスク等の記憶装置であり、各種モダリティ２０により生成されたＤＩＣＯＭ規格の医用情報を保存する。
【００２７】
ＲＯＭ１６は、不揮発性の半導体メモリ等により構成され、制御部１１で実行されるシステムプログラムや各種処理プログラムを記憶し、また各種データ等を記憶する。これらの各種プログラム等は、読取り可能なプログラムコードの形態で格納され、制御部１１は、当該プログラムコードに従った動作を逐次実行する。
【００２８】
ＲＡＭ１７は、制御部１１により実行制御される各種処理において、ＲＯＭ１６から読み出された各種プログラム、入力若しくは出力データ、及びパラメータ等を一時的に記憶する記憶領域を形成する。
【００２９】
メディア書込部１８は、メディアＭに対して、記憶装置１５に記憶する医用画像や読影レポートの情報等を電子的に書込む。
【００３０】
図３に、管理サーバ１０とモダリティ２０との間で医用情報の送受信を行う際の流れについて示す。なお、以下に説明する通信はＤＩＣＯＭ特有の通信によるものである。
【００３１】
まず、モダリティ２０が管理サーバ１０に対して通信要求（A-ASSOCIATE-RQ）を行う（ステップＳ１）。これを受けた管理サーバ１０は、モダリティ２０に通信要求への応答（A-ASSOSIATE-AC）を送信する（ステップＳ２）。これにより、両機器間での通信が確立されたことになる。その後、モダリティ２０は管理サーバ１０へ医用画像を送信（P-DATA-TF）する（ステップＳ３）。
【００３２】
ここで、図４に、通信要求（A-ASSOCIATE-RQ）の情報のイメージ図を示す。
通信要求（A-ASSOCIATE-RQ）は、大別して必須領域と応用領域とに区別される。このうち、必須領域にある「着呼側ＡＥ名称」の領域に、管理サーバ１０側で設定されている着呼側ＡＥタイトルの情報（以下、「着呼側ＡＥＴ」という）が格納される。また、「発呼側ＡＥ名称」の領域に、モダリティ２０側で設定されている発呼側ＡＥタイトルの情報（以下、「発呼側ＡＥＴ」という）が格納される。従って、モダリティ２０が送信する通信要求（A-ASSOCIATE-RQ）には、モダリティ２０のＡＥタイトルと送信する宛先の管理サーバ１０のＡＥタイトルが含まれることになる。
【００３３】
ここで、管理サーバ１０はＲＯＭ１６に複数の着呼側ＡＥＴを設定登録することが可能な領域を備えおり、複数の着呼側ＡＥＴが登録可能となっている。本実施形態においては、複数の着呼側ＡＥＴが設定されているものとする。
なお、管理サーバ１０は、この通信要求を受信することで何れのモダリティ２０から受信した医用画像であるかを発呼側ＡＥＴから識別することができる。
【００３４】
図３に戻り、管理サーバ１０は、医用画像を受信すると医用画像の受信処理（STORAGE-SCP）を実行する（ステップＳ４）。
管理サーバ１０が行う受信処理（STORAGE-SCP）については図５で後述する。
【００３５】
モダリティ２０は、管理サーバ１０へ医用画像の送信が終わると両機器間で確立した通信を終了するため、通信終了要求（A-RELEASE-RQ）を送信する（ステップＳ５）。
これを受けた管理サーバ１０は、モダリティ２０に対して通信終了要求への応答（A-RELEASE-RP）を送信する（ステップＳ６）。
以上により、管理サーバ１０及びモダリティ２０との間で行われる一連の通信処理は終了する。
【００３６】
図５に、管理サーバ１０が行う受信処理を示す。
まず、以下に管理サーバ１０が受信処理を行う前提について説明する。
【００３７】
図５における管理サーバ１０の受信処理は、図３のステップＳ４における処理（STORAGE-SCP）であって、モダリティ２０から通信要求（A-ASSOCIATE-RQ）を受信していることを前提とする。また、通信要求（A-ASSOCIATE-RQ）には着呼側ＡＥＴが格納されているものとし、管理サーバ１０は受信した通信要求（A-ASSOCIATE-RQ）にある着呼側ＡＥＴに応じて受信処理を行う。
【００３８】
なお、管理サーバ１０が着呼側ＡＥＴに応じて行う受信処理については、制御部１１とＲＯＭ１６に記憶されているプログラムとの協働により実現されるものとする。また、ＲＯＭ１６には着呼側ＡＥＴと対応付けられた処理テーブルが記憶されており、制御部１１は当該処理テーブルに基づき受信処理を行う。
モダリティ２０が管理サーバ１０に医用画像を送信する際には、何れの着呼側ＡＥＴ宛に送信するかについて選択してから送信することとなる。
【００３９】
図６に、管理サーバ１０側で設定されている処理テーブルを示す。
これによれば、着呼側ＡＥＴがＡＥＴ１と対応付けられている処理は「優先処理」、ＡＥＴ２と対応付けられている処理は「メディアへの書込処理」、ＡＥＴ３に対応付けられている処理は「転送処理」となっている。
【００４０】
モダリティ２０側で送信する医用画像に対して、例えば優先的に処理してほしい医用画像とメディアに書込んでほしい医用画像とがある場合には、モダリティ２０側で着呼側ＡＥＴをＡＥＴ１とＡＥＴ２にそれぞれ指定して送信すればよい。
以上、このようにモダリティ２０から医用画像が送信されてくることを前提として、以下に管理サーバ１０の制御部１１が行う処理について述べる。
【００４１】
制御部１１は、受信した通信要求（A-ASSOCIATE-RQ）の着呼側ＡＥＴに基づき、着呼側ＡＥＴに対応する処理設定に従って、受信した医用画像を他に受信した医用画像よりも優先的に記憶装置１５に記憶するか否かを判断する（ステップＳ４１）。
【００４２】
制御部１１は、優先的に記憶する着呼側ＡＥＴ宛（ＡＥＴ１）に医用画像を受信したと判断した場合（ステップＳ４１；ＹＥＳ）、受信した医用画像を優先的に記憶装置１５に記憶する（ステップＳ４２）。
【００４３】
制御部１１は、受信した医用画像が優先的に記憶する着呼側ＡＥＴ宛ではないと判断した場合（ステップＳ４１；ＮＯ）、次に、当該医用画像をメディアに書込むよう要求する着呼側ＡＥＴ宛か否かを判断する（ステップＳ４３）。
【００４４】
制御部１１は、メディアへの書込処理を要求する着呼側ＡＥＴ宛（ＡＥＴ２）に医用画像を受信したと判断した場合（ステップＳ４３；ＹＥＳ）、受信した医用画像に対してメディアへの書込処理を実行する（ステップＳ４４）。
【００４５】
制御部１１は、受信した医用画像がメディアへの書込処理を要求する着呼側ＡＥＴ宛ではないと判断した場合（ステップＳ４３；ＮＯ）、次に、当該医用画像を他の管理サーバ等へ転送するよう要求する着呼側ＡＥＴ宛か否かを判断する（ステップＳ４７）。
【００４６】
制御部１１は、他の管理サーバ等へ転送するよう要求する着呼側ＡＥＴ宛（ＡＥＴ３）に医用画像を受信したと判断した場合（ステップＳ４５；ＹＥＳ）、受信した医用画像を他の管理サーバ等へ転送する転送処理を実行する（ステップＳ４６）。
【００４７】
制御部１１は、受信した医用画像が他の管理サーバ等へ転送するよう要求する着呼側ＡＥＴ宛ではないと判断した場合（ステップＳ４５；ＮＯ）、通常の保存処理を実行し（ステップＳ４７）、本処理を終了する。
【００４８】
以上のように、本実施形態によれば、管理サーバ１０のＲＯＭ１６に複数の着呼側ＡＥＴが設定登録され、当該着呼側ＡＥＴに対応付けた処理設定についても同様にＲＯＭ１６に登録される。すなわち、管理サーバ１０は擬似的に複数の受信先を有することとなり、複数の受信先に応じて医用画像単位で異なる処理を行うことが可能となる。
これにより、モダリティ２０側で送信するそれぞれの医用画像に対して着呼側ＡＥＴを変えれば、管理サーバ１０に医用画像単位で所望の処理を要求することが可能となる。
【００４９】
上述した管理サーバ１０に要求する処理内容として、通常の医用画像よりも優先的に記憶装置１５に記憶するよう要求する事が可能である。また、その他の処理、例えばメディアへの書込処理や他システムへの転送処理等についても優先的に行う設定とすることも可能である。
【００５０】
また、送信する複数の医用画像のうち、一部の医用画像については記憶装置１５に記憶させるのではなく、メディアに対して記憶するよう要求することが可能である。
【００５１】
また、送信する複数の医用画像のうち、一部の医用画像については他のシステムにおける管理サーバへ転送するよう要求することも可能である。
【図面の簡単な説明】
【００５２】
【図１】ＰＡＣＳの全体構成を示す図である。
【図２】管理サーバの内部構成を示す図である。
【図３】ＤＩＣＯＭによる一般的な通信の流れを説明するフローチャートである。
【図４】通信要求のイメージを示す図である。
【図５】管理サーバが行う受信処理を説明するフローチャートである。
【図６】処理テーブルを示す図である。
【符号の説明】
【００５３】
１００  ＰＡＣＳ
１０    医用情報管理装置
１１    制御部
２０    モダリティ
【図１】
2009039256.tif 000003
【図２】
2009039256.tif 000004
【図３】
2009039256.tif 000005
【図４】
2009039256.tif 000006
【図５】
2009039256.tif 000007
【図６】
2009039256.tif 000008